(57)【要約】【課題】本発明は、ＩＳＯＦＩＸコネクタ及びチャイルドシートを開示する。【解決手段】固定ケースと、固定ケース内に摺動可能に設置された摺動ケースと、及び摺動ケース内に回転可能に設置され、摺動ケース内に挿入されるアンカーロッドをロック又はアンロックするためのロック部材とを備えるＩＳＯＦＩＸコネクタであって、ＩＳＯＦＩＸコネクタは、第１位置制限部材と、連動摺動ブロックと、連動部材及び連動トーションスプリングをさらに備え、ロック部材は、連動部材によって第１位置制限部材と連動され、連動トーションスプリングを介してロック部材と第１位置制限部材に対する同期化位置決めが実現される。【選択図】図２Ａ
2019099135.tif 000002
【特許請求の範囲】
【請求項１】
固定ケースと、
固定ケース内に摺動可能に設置された摺動ケースと、及び
前記摺動ケース内に回転可能に設置され、前記摺動ケース内に挿入されるアンカーロッドをロック又はアンロックするためのロック部材とを備えるＩＳＯＦＩＸコネクタであって、
前記ＩＳＯＦＩＸコネクタは、
前記摺動ケース内に移動可能に設置され、前記固定ケースにおいて前記摺動ケースの移動経路に形成された複数のギヤ溝に進入又は前記ギヤ溝から離れるように適用され、前記ギヤ溝に進入する時、前記固定ケースと摺動ケースとの間の相対移動がロックされる第１位置制限部材と、
前記摺動ケース内に移動可能に設置され、前記第１位置制限部材と協働して、初期位置から距離Ｌ１を移動する時、前記第１位置制限部材が前記ギヤ溝から離れるようにする連動摺動ブロックと、
前記摺動ケース内に回転可能に設置され、一端に前記第１位置制限部材が回転可能に設置され、他端は前記ロック部材と協働し、前記ロック部材が回転する時、それに応じて回転することにより、前記第１位置制限部材が前記ギヤ溝内に進入又は前記ギヤ溝から離れるようにする連動部材と、及び
前記摺動ケース内に回転可能に設置され、一端は、前記ロック部材に接続され、他端は、前記第１位置制限部材に接続され、前記ロック部材がロック位置に回転し、前記連動部材を介して前記第１位置制限部材をギヤ溝の位置から離れた位置に回転させる時、前記ロック部材と前記第１位置制限部材を現在位置に保持し、前記ロック部材がアンロック位置に回転し、前記連動部材を介して前記第１位置制限部材を前記ギヤ溝の位置に進入する位置まで回転させるようにする時、前記ロック部材と前記第１位置制限部材を現在位置に保持させる連動トーションスプリングとを備える、ＩＳＯＦＩＸコネクタ。
【請求項２】
前記摺動ケース内に回転可能に設置され、回転する時、前記ギヤ溝に進入又は前記ギヤ溝から離れるように適用される第２位置制限部材をさらに備え、前記第２位置制限部材は、スプリングによって前記ギヤ溝内に保持され、前記第２位置制限部材が前記ギヤ溝内にある時、前記摺動ケースが前記固定ケースに対して外側への移動がロックされ、前記第２位置制限部材は前記連動摺動ブロックと協働して、前記連動摺動ブロックが初期位置から距離Ｌ２を移動した時、前記第１位置制限部材と第２位置制限部材が同時に前記ギヤ溝から離れるようにすることを特徴とする
請求項１に記載のＩＳＯＦＩＸコネクタ。
【請求項３】
それぞれの前記ギヤ溝は、等間隔で設置され、前記第１位置制限部材と前記第２位置制限部材との間の距離は、二つの隣接している前記ギヤ溝の間の距離と等しいことを特徴とする
請求項２に記載のＩＳＯＦＩＸコネクタ。
【請求項４】
前記第２位置制限部材は、前記ロック部材から離れた一側にガイド斜面を形成し、前記摺動ケースが前記固定ケースに対して内側に移動する時、前記ギヤ溝の内壁が前記ガイド斜面を通じて、前記第２位置制限部材が前記ギヤ溝の位置から離れた位置に回転するようにすることを特徴とする
請求項２に記載のＩＳＯＦＩＸコネクタ。
【請求項５】
前記連動部材は、前記連動摺動ブロックと対向する一側に位置制限端を形成し、前記連動摺動ブロックは、前記位置制限端と反対の一側で弾性部材の作用を受け、前記弾性部材は、前記連動摺動ブロックに対して、前記位置制限端に向かって移動させる付勢力を印加し、初期位置にある時、前記連動摺動ブロックは、前記弾性部材の作用によって前記位置制限端に当接され、前記ロック部材がアンロック位置からロック位置に回転する時、前記連動部材の前記位置制限端は前記連動摺動ブロックから離れ、前記連動摺動ブロックは、前記弾性部材の作用によって外部に移動することを特徴とする
請求項１に記載のＩＳＯＦＩＸコネクタ。
【請求項６】
操作ケースと操作摺動ブロックとをさらに備え、前記操作摺動ブロックは、前記操作ケース内に摺動可能に設置され、前記操作ケースは、前記摺動ケースの外部に装着され、前記摺動ケースには前記操作摺動ブロックを移動するようにする第２摺動溝を有し、前記操作摺動ブロックは、前記連動摺動ブロックに接続され、前記固定ケースには、前記操作ケース及び操作摺動ブロックが移動するようにする第１摺動溝を有し、前記操作ケースと前記操作摺動ブロックは、前記第１摺動溝を介して前記第１摺動溝の外部に延長され、前記弾性部材は、前記操作摺動ブロックと前記操作ケースとの間に設置され、前記弾性部材は、前記操作摺動ブロックに前記操作ケースの外側に向って移動する力を印加し、前記操作摺動ブロックを介して、前記連動摺動ブロックに対して、それを前記位置制限端に移動させる付勢力を印加することを特徴とする
請求項５に記載のＩＳＯＦＩＸコネクタ。
【請求項７】
前記操作ケースは、ウィンドウを備え、前記操作摺動ブロックは、アンロック指示部とロック指示部とを有し、前記連動摺動ブロックが前記位置制限端に当接される時、前記操作摺動ブロック上の前記アンロック指示部は、前記ウィンドウに位置し、前記位置制限端が前記連動摺動ブロックから離れる時、前記連動摺動ブロックは、前記ロック指示部が前記ウィンドウの位置にあるように、前記操作摺動ブロックを外部に向って移動するようにし、前記アンロック指示部と前記ロック指示部は異なる色を有することを特徴とする
請求項６に記載のＩＳＯＦＩＸコネクタ。
【請求項８】
前記操作摺動ブロックには、前記操作摺動ブロック内に収縮可能に設置され、前記操作摺動ブロックとの間にはスプリングが設置され、前記操作摺動ブロックと前記操作ケースとの間の相対移動をロックするためのアンロック部材がさらに設置されることを特徴とする
請求項６に記載のＩＳＯＦＩＸコネクタ。
【請求項９】
前記摺動ケースの先端には、ロック溝が形成され、アンカーロッドは、前記ロック溝に進入又は退出するように適用され、前記ロック部材は、前記ロック溝に回転可能に設置され、前記ロック部材は、ロック部と駆動部とを備え、前記ロック部と前記駆動部との間にはアンカーロッドを収容するためのロッド溝が形成され、前記ロック部材がアンロック位置にある時、前記ロッド溝の入口は前記ロック溝の入口に対向し、アンカーロッドが前記ロッド溝に進入する時、前記駆動部を推進することにより前記駆動部を回転させることで、前記ロック部材がロック位置に回転するようにし、また前記ロッド溝の入口と前記ロッド溝の入口とが位置ずれになるようにすることを特徴とする
請求項１乃至８のいずれか一項に記載のＩＳＯＦＩＸコネクタ。
【請求項１０】
請求項１乃至９のいずれか１項に記載のＩＳＯＦＩＸコネクタを備えるチャイルドシート。
【発明の詳細な説明】
【技術分野】
【０００１】
本発明は、チャイルドシートの分野に関し、特にＩＳＯＦＩＸコネクタ及びチャイルドシートに関する。
【背景技術】
【０００２】
ＩＳＯＦＩＸブラケットは、国際的に汎用されている標準ブラケットであり、ＩＳＯＦＩＸコネクタを備えたチャイルドシートは、対応するブラケットを備えたカーシートに接続されて、チャイルドシートをロックして固定することができる。
【０００３】
特許番号ＣＮ１０４５９００６７Ｂ号公報には、一方向にロックされた第１位置制限部材と第２位置制限部材を設置することによって、第１の摺動部材の摺動は、第１位置制限部材と第２位置制限部材をアンロックさせ、第２摺動部材が後ろに摺動することは、ロック部材をロックさせるとともに第２位置制限部材をアンロックさせ、固定レバーが可動レバーに対して後方にのみ摺動することができ、チャイルドシートがより緊密にカーシートとロックされるようになり、第１操作部材と第２操作部材とを同時に操作する時、ロック部材と、第１位置制限部材と第２位置制限部材とを全部アンロックさせ、固定レバーを、前記可動レバーに対して前後に移動させることができ、第１操作部材と第２操作部材を操作しない時、前記第１位置制限部材及び前記第２位置制限操作部材がロックされて、前記ロック部材がアンロックされ、固定レバーが可動レバーに対して固定されるチャイルドシートのコネクタが開示されている。
【０００４】
しかしながら、前記技術的手段には、部品が比較的多く、装着プロセスが複雑であるため、この技術的手段はさらに最適化することができる。
【発明の概要】
【発明が解決しようとする課題】
【０００５】
本発明は、先行技術の欠点を克服するために、その構造が先行技術に対して単純化されたＩＳＯＦＩＸコネクタを提供することを目的の一つとする。
【０００６】
本発明は、前記ＩＳＯＦＩＸコネクタを備えるチャイルドシートを提供することを目的のもう一つとする。
【課題を解決するための手段】
【０００７】
本発明の目的の一つは、以下の技術的手段によって達成される：
固定ケースと、
固定ケース内に摺動可能に設置された摺動ケースと、及び
前記摺動ケース内に回転可能に設置され、前記摺動ケース内に挿入されるアンカーロッドをロック又はアンロックするためのロック部材とを備えるＩＳＯＦＩＸコネクタであって、
前記ＩＳＯＦＩＸコネクタは、
前記摺動ケース内に移動可能に設置され、前記固定ケースにおいて前記摺動ケースの移動経路に形成された複数のギヤ溝に進入又は前記ギヤ溝から離れるように適用され、前記ギヤ溝に進入する時、前記固定ケースと摺動ケースとの間の相対移動がロックされる第１位置制限部材と、
前記摺動ケース内に移動可能に設置され、前記第１位置制限部材と協働して、初期位置から距離Ｌ１を移動する時、前記第１位置制限部材が前記ギヤ溝から離れるようにする連動摺動ブロックと、
前記摺動ケース内に回転可能に設置され、一端に前記第１位置制限部材が回転可能に設置され、他端は前記ロック部材と協働し、前記ロック部材が回転する時、それに応じて、回転することにより、前記第１位置制限部材が前記ギヤ溝内に進入又は前記ギヤ溝から離れるようにする連動部材と、及び
前記摺動ケース内に回転可能に設置され、一端は、前記ロック部材に接続され、他端は、前記第１位置制限部材に接続され、前記ロック部材がロック位置に回転し、前記連動部材を介して前記第１位置制限部材をギヤ溝の位置から離れた位置に回転させる時、前記ロック部材と前記第１位置制限部材を現在位置に保持し、前記ロック部材がアンロック位置に回転し、前記連動部材を介して前記第１位置制限部材を前記ギヤ溝の位置に進入する位置まで回転させるようにする時、前記ロック部材と前記第１位置制限部材を現在位置に保持させる連動トーションスプリングとを備える。
【０００８】
さらに、前記ＩＳＯＦＩＸコネクタは、前記摺動ケース内に回転可能に設置され、回転する時、前記ギヤ溝に進入又は前記ギヤ溝から離れるように適用される第２位置制限部材をさらに備え、前記第２位置制限部材は、スプリングによって前記ギヤ溝内に進入した位置に保持され、前記第２位置制限部材が前記ギヤ溝に進入する時、前記摺動ケースは、前記固定ケースに対して外側への移動がロックされ、前記第２位置制限部材は前記連動摺動ブロックと協働して、前記連動摺動ブロックが初期位置から距離Ｌ２を移動した時、 前記第１位置制限部材と第２位置制限部材が同時に前記ギヤ溝から離れるようにする。
【０００９】
さらに、それぞれの前記ギヤ溝は、等間隔で設置され、前記第１位置制限部材と前記第２位置制限部材との間の距離は、二つの隣接している前記ギヤ溝の間の距離と等しい。
【００１０】
さらに、前記第２位置制限部材は、前記ロック部材から離れた一側にガイド斜面を形成し、前記摺動ケースが前記固定ケースに対して内側に移動する時、前記ギヤ溝の内壁が前記ガイド斜面を通じて、前記第２位置制限部材が前記ギヤ溝の位置から離れた位置に回転するようにする。
【００１１】
さらに、前記連動部材は、前記連動摺動ブロックと対向する一側に位置制限端を形成し、前記連動摺動ブロックは、前記位置制限端と反対の一側で弾性部材の作用を受け、前記弾性部材は、前記連動摺動ブロックに対して、前記位置制限端に向かって移動させる付勢力を印加し、初期位置にある時、前記連動摺動ブロックは、前記弾性部材の作用によって前記位置制限端に当接され、前記ロック部材がアンロック位置からロック位置に回転する時、前記連動部材の前記位置制限端は前記連動摺動ブロックから離れ、前記連動摺動ブロックは、前記弾性部材の作用によって移動する。
【００１２】
さらに、前記ＩＳＯＦＩＸコネクタは、操作ケースと操作摺動ブロックとをさらに備え、前記操作摺動ブロックは、前記操作ケース内に摺動可能に設置され、前記操作ケースは、前記摺動ケースの外部に装着され、前記摺動ケースには前記操作摺動ブロックが移動するようにする第２摺動溝を有し、前記操作摺動ブロックは、前記連動摺動ブロックに接続され、前記固定ケースには、前記操作部材が移動するようにする第１摺動溝を有し、前記操作ケースと前記操作摺動ブロックは、前記第１摺動溝を介して前記固定ケースの外部に延長され、前記弾性部材は、前記操作摺動ブロックと前記操作ケースとの間に設置され、前記弾性部材は、前記操作摺動ブロックに前記操作ケースの外側に向って移動する力を印加し、前記操作摺動ブロックを介して、前記連動摺動ブロックに対して、それを前記位置制限端に移動させる付勢力を印加する。
【００１３】
さらに、前記操作ケースはウィンドウを備え、前記操作摺動ブロックは、アンロック指示部とロック指示部とを有し、前記連動摺動ブロックが前記位置制限端に当接される時、前記操作摺動ブロック上の前記アンロック指示部は、前記ウィンドウに位置し、前記位置制限端が前記連動摺動ブロックから離れる時、前記連動摺動ブロックは、前記ロック指示部が前記ウィンドウの位置にあるように、前記操作摺動ブロックを移動させるようにする。
【００１４】
さらに、前記操作摺動ブロックには、前記操作摺動ブロック内に収縮可能に設置され、前記操作摺動ブロックとの間にはスプリングが設置され、前記操作摺動ブロックと前記操作ケースとの間の相対移動をロックするためのアンロック部材がさらに設置される。
【００１５】
さらに、前記摺動ケースの先端部には、ロック溝が形成され、アンカーロッドは、前記ロック溝に進入又は退出するように適用され、前記ロック部材は、前記ロック溝に回転可能に設置され、前記ロック部材は、ロック部と駆動部とを備え、前記ロック部と前記駆動部との間にはアンカーロッドを収容するためのロッド溝が形成され、前記ロック部材がアンロック位置にある時、前記ロッド溝の入口は前記ロック溝の入口に対向し、アンカーロッドが前記ロッド溝に進入する時、前記駆動部を推進することにより前記駆動部を回転させることで、前記ロック部材がロック位置に回転するようにし、また前記ロッド溝の入口と前記ロッド溝の入口とが位置ずれになるようにする。
【００１６】
本発明の目的のもう一つは、以下の技術的手段によって達成される。
前記ＩＳＯＦＩＸコネクタを備えるチャイルドシートである。
【発明の効果】
【００１７】
先行技術と比較すると、本発明は、本発明のＩＳＯＦＩＸコネクタは構造が簡単で、装着が容易であり、連動部材によってロック部材と第１位置制限部材とを連動させ、ロック部材がアンロック位置からロック位置に回転する時、第１位置制限部材をギヤ溝から離れるようにし、摺動ケースを固定ケース内に移動させることで、チャイルドシートができるだけ自動車の背もたれに接近し、連動トーションスプリングを通じて、ロック部材と第１位置制限部材に対する同期化位置決めを実現し、ロック部材がアンロック位置にある時、連動トーションスプリングは、ロック部材をアンロック位置に保持させ、第１位置制限部材をギヤ溝内に保持させ、ロック部材がロック位置にある時、連動トーションスプリングは、ロック部材をロック位置に保持させ、第１位置制限部材をギヤ溝の位置から離れる位置に保持させる効果がある。
【図面の簡単な説明】
【００１８】
【図１】本発明のＩＳＯＦＩＸコネクタの分解図である。
【図２Ａ】本発明のＩＳＯＦＩＸコネクタの模式図であり、摺動ケースが固定ケース内に収容されることを示す。
【図２Ｂ】本発明のＩＳＯＦＩＸコネクタの模式図であり、摺動ケースが固定ケースの外部に延びることを示す。
【図３Ａ】本発明のＩＳＯＦＩＸコネクタの部分模式図であり、ロック部材がアンロック位置にある状態を示す。
【図３Ｂ】図３Ａの内部構造の模式図である。
【図３Ｃ】図３Ａの断面図である。
【図４Ａ】本発明のＩＳＯＦＩＸコネクタの部分模式図であり、ロック部材がロック位置にある状態を示す。
【図４Ｂ】図４Ａの内部構造の模式図である。
【図４Ｃ】図４Ａの断面図である。
【図５Ａ−５Ｃ】本発明の連動機構の断面図であり、連動摺動ブロックが第１ロック位置から解除位置に移動する過程を順に示す。
【図６Ａ−６Ｃ】本発明の操作部材の断面図であり、操作摺動ブロックが操作ケース内に移動する過程を順に示す。
【図７Ａ−７Ｄ】本発明の装着の模式図であり、摺動ケース及び操作部材が固定ケース内に取り付けられるステップを順に示す。
【発明を実施するための形態】
【００１９】
以下、図面と具体的な実施形態に合わせて、本発明について更に説明する。なお、お互いに衝突しない前提で、以下説明する複数の各実施例の間や、複数の技術の特徴の間に、ランダムに組み合わせて新しい実施例を形成することができる。
【００２０】
図１〜図７Ｄに示すように、本発明によって提供されるＩＳＯＦＩＸコネクタは、固定ケース１と、摺動ケース２と、連動機構３と、及び操作部材４とを備える。
【００２１】
固定ケース１は、チャイルドシートのベースに固定して装着されることに適用される。固定ケース１は、出口を有する摺動キャビティを形成し、摺動ケース２は、摺動キャビティ内に摺動可能に設置されて、摺動ケース２が固定ケース１内に収容されてＩＳＯＦＩＸコネクタの長さを減少させ、摺動キャビティの出口から取り出して、カーシート上のＩＳＯＦＩＸブラケットのアンカーロッド９に近づくことも可能である。
【００２２】
摺動ケース２には収納チャンバ２０が形成され、連動機構３は、収納チャンバ２０に設置される。連動機構３は、アンカーロッド９をロック又はアンロックするためのロック部材３１と、固定ケース１と摺動ケース２との相対移動をロック又はアンロックすることができる第１位置制限部材３２及び第２位置制限部材３３と、第１位置制限部材３２と第２位置制限部材３３とに連動された連動摺動ブロック３５と、ロック部材３１を連動摺動ブロック３５及び第１位置制限部材３２に連動させる連動部材３６と、ロック部材３１と第１位置制限部材３２を一定の位置に保持させる連動トーションスプリング３４とを備える。
【００２３】
操作部材４は、ユーザの操作を容易にするために固定ケース１の外部に設置される。操作部材４は、連動摺動ブロック３５に操作可能に接続されて、連動摺動ブロック３５が操作部材４によって移動することができる。固定ケース１は、操作部材４が移動するようにする第１摺動溝１１を有して、操作部材４が摺動ケース２に伴って移動することができる。摺動ケース２は、操作部材４が移動するようにする第２摺動溝２１を有して、操作部材４が連動摺動ブロック３５を摺動ケース２に対して移動させることができる。
【００２４】
固定ケース１は、摺動ケース２の移動経路に間隔をあけて複数のギヤ溝１２が形成され、各ギヤ溝１２は、摺動チャンバに連通される。摺動ケース２は、第１位置制限部材３２と第２位置制限部材３３が対向する位置に第１位置制限孔２２と第２位置制限孔２３をそれぞれ形成し、第１位置制限部材３２は、第１位置制限孔２２を貫通して対応するギヤ溝１２に進入するように適用され、第２位置制限部材３３は、第２位置制限孔２３を貫通して対応するギヤ溝１２に進入するように適用され、第１位置制限部材３２と第２位置制限部材３３が共にギヤ溝１２に位置する時、固定ケースは摺動ケース２と相対的に移動することができない。
【００２５】
好ましくは、第１位置制限孔２２と第２位置制限孔２３との間の距離は、隣接する２つのギヤ溝１２の間の距離と同じであることにより、第１位置制限部材３２と第２位置制限部材３３は、同時に隣接するギヤ溝１２内に挿入されることができる。
【００２６】
摺動ケース２の先端には、ロック溝２４が形成され、アンカーロッド９は、ロック溝２４に進入又は退出するように適用される。ロック部材３１はロック溝２４に回転可能に設置されることにより、ロック部材３１はロック位置とアンロック位置との間を回転する。好ましくは、ロック部材３１は、軸を介して摺動ケース２内に回転可能に設置され、この軸の両端は摺動ケースに固定され、ロック部材３１は、この軸を回って回転することができる。ロック部材３１がロック位置に回転した時、ロック溝２４をロックし、この時、ロック溝２４内のアンカーロッド９は退出できないことにより、本発明のＩＳＯＦＩＸコネクタは、ＩＳＯＦＩＸブラケットに接続され、ロック部材３１がアンロック位置まで回転する時、ロック部材３１は、ロック溝２４を開放し、アンカーロッド９がロック溝２４に自由に出入することができることにより、ＩＳＯＦＩＸコネクタは、ＩＳＯＦＩＸブラケットから分離される。
【００２７】
さらに、ロック部材３１は、ロック部３１１と駆動部３１２とを備え、ロック部３１１と駆動部３１２との間には、アンカーロッド９を収容するためのロッド溝３１３が形成される。ロック部３１１は、ロック溝２４をロック又はオープンするためであり、駆動部３１２とアンカーロッド９は対向する。ロック部材３１がアンロック位置にある時、ロッド溝３１３の入口は、ロック溝２４の入口と重なり、アンカーロッド９がロック溝２４に進入する過程で、駆動部３１２を後部に推進することにより、ロック部材３１をロック位置に回転させるようにし、即ち、ロッド溝３１３の入口はロック溝２４の入口と位置ずれになる。
【００２８】
言い換えると、ロック部材３１のアンロック位置からロック位置への回転は、アンカーロッド９がロック部材３１に対して押すことによって実現される。実際に装着する時、アンカーロッド９は相対的に静止しているので、ユーザは、アンカーロッド９の方向にＩＳＯＦＩＸコネクタを押し込む必要があり、アンカーロッド９は、ロック溝２４及びロッド溝３１３に進入する過程でロック部材３１をアンロック位置からロック位置に回転させる。
【００２９】
ロック部材３１は、連動トーションスプリング３４によってアンロック位置又はロック位置に保持されることを言及する必要がある。
【００３０】
第１位置制限部材３２は、収納チャンバ２０内に回転可能に設置されて、第１位置制限部材３２が後退防止位置と非後退防止位置との間で回転することができる。第１位置制限部材３２が後退防止位置にある時、第１位置制限部材３２を貫通してギヤ溝１２内に延び、第１位置制限部材３２が非後退防止位置にある時、ギヤ溝１２と分離する。
【００３１】
第２位置制限部材３３は、収納チャンバ２０内に回転可能に設置されて、第２位置制限部材３３が係合位置と非係合位置との間で回転することができる。第２位置制限部材３３が係合位置にある時、第２位置制限孔２３を貫通してギヤ溝１２内に延び、第２位置制限部材３３が非係合位置にある時、ギヤ溝１２から分離される。
【００３２】
第１位置制限部材３２は、連動部材３６を介してロック部材３１に連動される。連動部材３６は、収納チャンバ２０内に回転可能に設置され、連動部材３６の一端はロック部材３１に接続され、他端には接続軸３６１が形成され、第１位置制限部材３２は、接続軸３６１に回転可能に設置されることにより、接続軸３６１を回って回転することができる。ロック部材３１がアンロック位置にある時、連動部材３６の接続軸３６１は、第１位置制限孔２２に近い位置にあり、この時、第１位置制限部材３２は、連動トーションスプリング３４によって後退防止位置に保持され、ロック部材３１がアンロック位置からロック位置に回転する時、連動部材３６がそれに伴って回転し、連動部材３６の接続軸３６１が第１位置制限孔２２から離れる位置に回転し、同時に第１位置制限部材３２はギヤ溝１２と分離された後、第１位置制限部材３２は、連動トーションスプリング３４によって非後退防止位置に保持される。
【００３３】
連動トーションスプリング３４は、収納チャンバ２０内に設置され、連動トーションスプリング３４の中心が収納チャンバ２０内の固定軸２６を被って設置され、連動トーションスプリング３４の一端はロック部材３１に接続され、他端は第１位置制限部材３２に接続される。ロック部材３１がアンロック位置にある時、連動トーションスプリング３４はロック部材３１をアンロック位置に保持させ、第１位置制限部材３２を後退防止位置に保持させ、ロック部材３１がロック位置に回転する時、連動トーションスプリング３４は回転し、ロック部材３１と第１位置制限部材３２に付勢力を印加し続けて、ロック部材３１をロック位置に保持させ、第１位置制限部材３２を非後退防止位置に保持させる。
【００３４】
連動部材３６も固定軸２６を軸として回転することを言及する必要がある。
【００３５】
第２位置制限部材３３は、スプリングの作用により係合位置に保持される。第２位置制限部材３３がロック部材３１から離れる一側には、ガイド斜面３３３が形成される。第１位置制限部材３２が非後退防止位置にあり、第２位置制限部材３３が係合位置にある時、固定ケース１又は摺動ケース２に外力を印加することによって、摺動ケース２を固定ケース１内に移動させることができ、移動の過程において、ギヤ溝１２の内壁は、ガイド斜面３３３を介して第２位置制限部材３３を非係合位置に回転させ、第２位置制限部材３３が次のギヤ溝１２の位置に移動する時、スプリングの作用により係合位置に再び回転して、摺動ケース２が伸びた長さの調節を実現する。
【００３６】
第１位置制限部材３２と第２位置制限部材３３の固定ケース１と摺動ケース２に対する位置制限は三つの場合を含み、
第１の場合において、第１位置制限部材３２と第２位置制限部材３３は共にギヤ溝１２内にあり、即ち、第１位置制限部材３２は後退防止位置にあり、第２位置制限部材３３は係合位置にあり、この時、第１位置制限部材３２の後退防止作用により、固定ケース１と摺動ケース２との間に相対的に移動することができず、
第２の場合において、第1位置制限部材３２はギヤ溝１２から離れ、第２位置制限部材３３はギヤ溝１２内に位置し、即ち、第１位置制限部材３２は非後退防止位置にあり、第２位置制限部材３３は係合位置にあり、この時、第２位置制限部材３３の一側は、外力を受ける時非係合位置に回転可能なガイド斜面３３３を有するので、摺動ケース２は固定ケース１に対して内側に収縮することができるが、第２位置制限部材３３の他側はガイド斜面を有しないので、摺動ケース２は固定ケース１に対して外側に移動することができず、
第３の場合において、第１位置制限部材３２と第２位置制限部材３３とは共にギヤ溝１２から離れ、即ち、第１位置制限部材３２は非後退防止位置にあり、第２位置制限部材３３は非係合位置にあり、この時、摺動ケース２は、固定ケース１に対して自由に移動可能であり、この場合、ユーザは、操作部材４を介して第１位置制限部材３２と第２位置制限部材３３とをギヤ溝１２の位置から離れる位置に保持させる。
【００３７】
好ましくは、第１位置制限部材３２は、第１位置制限部３２１と、第１連動部３２２とを備える。第１位置制限部３２１は、第１位置制限孔２２に位置し、第１位置制限部材３２が回転する時、第１位置制限部３２１は、第１位置制限孔２２を貫通してギヤ溝１２に挿入されるか又は離れる。第１連動部３２２は、連動摺動ブロック３５に対向し、連動摺動ブロック３５が移動する時、第１連動部３２２の移動を推進して第１位置制限部材３２を回転させることができる。
【００３８】
好ましくは、第２位置制限部材３３は、第２位置制限部３３１と、第２連動部３３２とを備える。第２位置制限部３３１が第２位置制限孔２３に位置する時、第２位置制限部３３１が第２位置制限孔２３を貫通してギヤ溝１２に挿入される又は離れるように適用される。第２連動部３３２は、連動摺動ブロック３５に対向し、連動摺動ブロック３５が移動する時、第２連動部３３２の移動を推進して第２位置制限部材３３を回転させる。
【００３９】
連動摺動ブロック３５は、摺動ブロックレール２５に沿って収納チャンバ２０内に移動可能に設置され、連動摺動ブロック３５は、指示位置と、第１ロック位置と、第２ロック位置と、アンロック位置との間で順に摺動されるように適用される。連動摺動ブロック３５は、連動部材３６と連動する第１端部３５１と、第１位置制限部材３２と連動する第２端部３５２と、第２位置制限部材３３と連動する第３端部３５３とを有する。
【００４０】
連動摺動ブロック３５が指示位置にある時、図４Ｃに示すように、第１端部３５１は、連動部材３６の側面に当接され、第２端部３５２は第１位置制限部材３２から離れ、第３端部３５３は第２位置制限部材３３から離れる。
【００４１】
連動摺動ブロック３５が第１ロック位置にある時、図３Ｃに示すように、第１端部３５１は、連動部材３６の端部に当接され、第２端部３５２は、第１位置制限部材３２から離れ、第３端部３５３は、第２位置制限部材３３から離れる。
【００４２】
連動摺動ブロック３５が第１ロック位置から第２ロック位置に移動する時、図５Ａ、図５Ｂに示すように、第１端部３５１は、連動部材３６から離れ、第２端部３５２は、第１位置制限部材３２に近接され、また第１位置制限部材３２を非後退防止位置に回転させ、第３端部３５３は第２位置制限部材３３に近接される。
【００４３】
連動摺動ブロック３５が第２ロック位置からアンロック位置に移動する時、図５Ｃに示すように、第１端部３５１は連動部材３６から離れ続け、第２端部３５２は、第１位置制限部材３２を非後退防止位置に保持させ、第３端部３５３は、第２位置制限部材３３に近接して、また第２位置制限部材３３を非係合位置に回転させる。
【００４４】
連動部材３６は、連動摺動ブロック３５と対向する一側に位置制限端３６２が形成される。連動部材３６がアンロック位置にある時、位置制限端３６２は、連動摺動ブロック３５に当接され、図３Ｃに示すように、この時、連動摺動ブロック３５は第１ロック位置にあり、連動摺動ブロック３５は指示位置に移動することができず、この時、操作部材４は、ロック部材３１がロックされないと表示し、連動部材３６がアンロック位置からロック位置に回転する時、図４Ｃに示すように、位置制限端３６２は、連動摺動ブロック３５から離れ、連動摺動ブロック３５は、操作部材４の弾性部材４４の作用によって指示位置に移動し、この時、操作部材４は、ロック部材３１がロックされると表示する。
【００４５】
操作部材４は、操作ベース４１と、操作摺動ブロック４２と、及びロック解除部材４３とを備える。操作ベース４１は、摺動ケース２に装着され、第１摺動溝１１を貫通して固定ケース１の外部に延びる。操作摺動ブロック４２は、操作ベース４１に水平移動可能に装着され、弾性部材４４によって操作ベース４１の最も外側に保持される。操作摺動ブロック４２は連動摺動ブロック３５に接続されて、操作摺動ブロック４２と連動摺動ブロック３５の移動が同期化される。ロック解除部材４３は操作摺動ブロック４２に垂直移動可能に装着され、その主な機能は、操作摺動ブロック４２が誤操作によって移動することを防止する。図６Ａに示すように、ロック解除部材４３が操作摺動ブロック４２の外部に移動した時、操作摺動ブロック４２と操作ベース４１との間をロックして、両者の相対移動が生ずることができないようにして、操作摺動ブロック４２の移動を防止し、図６Ｂ、６Ｃに示すように、ロック解除部材４３が操作摺動ブロック４２内に移動して復帰される時、操作摺動ブロック４２と操作ベース４１は、相対的に移動することができる。ロック解除部材４３は、操作摺動ブロック４２の外側にスプリングによって保持され、ユーザが操作摺動ブロック４２を移動する必要がある場合、まず、ロック解除部材４３を操作摺動ブロック４２内に移動し、その後、操作摺動ブロック４２を操作ベース４１の内に移動させる。
【００４６】
好ましくは、操作ベース４１にはウィンドウが形成され、操作摺動ブロック４２は、アンロック指示部４２１とロック指示部４２２とを有する。図４Ａに示すように、連動摺動ブロック３５が指示位置にある時、ロック指示部４２２は操作ベース４１のウィンドウに対向し、図３Ａに示すように、連動摺動ブロック３５が第１ロック位置にある時、アンロック指示部４２１は操作ベース４１のウィンドウに対向し、連動摺動ブロック３５が第２ロック位置又はアンロック位置に移動する時、アンロック指示部４２１及びロック指示部４２２は全部操作ベース４１のウィンドウに対向しない。
【００４７】
好ましくは、アンロック指示部４２１は赤色であり、ロック指示部４２２は緑色であり、ユーザは、操作ベース４１のウィンドウ内の色を観察することによって、ＩＳＯＦＩＸコネクタとＩＳＯＦＩＸブラケットが接続されているかどうかを判断することができ、誤操作による危険を低下させる。
【００４８】
本発明のＩＳＯＦＩＸコネクタの作動フローは以下の通りである：
ＩＳＯＦＩＸコネクタを使用しない場合、図２Ａに示すように、摺動ケース２が固定ケース１に収容され、この時、連動機構３の各部材の状態は図３Ａ-３Ｃに示した通りであり、ロック部材３１はアンロック位置にあり、連動部材３６はアンロック位置にあり、第１位置制限部材３２は後退防止位置にあり、第２位置制限部材３３は係合位置にあり、連動摺動ブロック３５は第１ロック位置にあり、この時、ロック解除部材４３は操作摺動ブロック４２の内側にあり、アンロック指示部４２１と操作ベース４１のウィンドウに対向している。
【００４９】
ＩＳＯＦＩＸコネクタを使用しようとする時、まず、摺動ケース２を固定ケース１から引き出し、具体的の操作は、図６Ａ、６Ｂ、６Ｃに示すように，ロック解除部材４３を押すと同時に操作摺動ブロック４２を操作ベース４１内に移動させ、操作摺動ブロック４２が移動すると同時に連動摺動ブロック３５も第１ロック位置から第２ロック位置及びアンロック位置に順に移動し、連動摺動ブロック３５は、第１位置制限部材３２、第２位置制限部材３３を非後退防止位置、非係合位置に回転させ、その過程は図５Ａ−図５Ｃに示した通りであり、その後、図２Ｂに示すように、操作部材４は、摺動ケース２を固定ケース１から引き出し、所定の位置に移動した後、ロック解除部材４３及び操作摺動ブロック４２を解除し、操作摺動ブロック４２の弾性部材の作用によって復元され、連動摺動ブロック３５を復元させ、復元された後、各部材の状態は、図３Ａ−図３Ｃの通りである。
【００５０】
摺動ケース２が引き出された後、摺動ケース２のロック溝２４を自動車のアンカーロッド９に合わせて、ＩＳＯＦＩＸコネクタを前方に押し込むことにより、アンカーロッド９をロック溝２４に挿入させて、ＩＳＯＦＩＸコネクタとブラケットが接続され、この時、連動機構３の各部材の状態は、図４Ａ-４Ｃの通りであり、ロック部材３１がロック位置まで回転し、連動部材３６がロック位置まで回転し、第１位置制限部材３２は非後退防止位置に回転し、連動摺動ブロック３５は指示位置に移動し、同時にロック指示部４２２は操作ベース４１のウィンドウに対向する。
【００５１】
ＩＳＯＦＩＸコネクタがブラケットに接続された後、チャイルドシートをカーシートの背もたれに近づけるために、ＩＳＯＦＩＸコネクタをできるだけ短くする必要があり、ユーザがチャイルドシートをＩＳＯＦＩＸブラケットの方向に押すと、固定ケース１が摺動ケース２に対してＩＳＯＦＩＸブラケットの方向に移動する。この時、ギヤ溝１２の内壁は、ガイド斜面３３３を介して第２位置制限部材３３を非係合位置に回転させ、固定ケース１が適当な位置に移動する時、それに対する推進力を除去し、第２位置制限部材３３はスプリングによってリセットされ、他のギヤ溝１２内に挿入されて、固定ケース１と摺動ケース２との相対移動を制限する。
【００５２】
ＩＳＯＦＩＸコネクタをブラケットから分離する必要がある場合、具体的な操作は、図５Ａ〜図５Ｃのように、ロック解除部材４３を押すと同時に操作摺動ブロック４２を操作ベース４１内に移動させ、操作摺動ブロック４２が移動すると同時に連動摺動ブロック３５も第１ロック位置から第２ロック位置とアンロック位置に順に移動し、連動摺動ブロック３５は、第１位置制限部材３２、第２位置制限部材３３を非後退防止位置及び非係合位置に回転させ、そして、操作部材４によって、摺動ケース２を固定ケース１内に引き込んで、アンカーロッド９と摺動ケース２が分離させる。
【００５３】
好ましくは、本発明の固定ケース１は、上側ケース１０１と、下側ケース１０２とを備える。下側ケース１０２は、底面１０２１と、底面１０２１の両側から上方に延びた第１側壁１０２２と、第２側壁１０２３とを備え、第１側壁１０２２の両端は、上方に延びて第１延長壁１０２４、第３延長壁１０２６をそれぞれ形成し、第２側壁１０２３の両端は、上方に延びて第１延長壁１０２４に対向する第２延長壁１０２５と、及び第３延長壁１０２６に対向する第４延長壁１０２７とをそれぞれ形成する。第１延長壁１０２４と、第２延長壁１０２５の内側には、係り止め溝１０２８をそれぞれ形成する。
【００５４】
上側ケース１０１は、端面１０１１と、端面１０１１の両側から下方に延びた第３側壁１０１２と、及び第４側壁１０１３とを備える。ギヤ溝１２は端面１０１１に形成される。端面１０１１の両端は、外側に伸びて位置制限片１０１４をそれぞれ形成し、上側ケース１０１が下側ケース１０２に装着される時、一端の位置制限片１０１４は、第１延長壁１０２４と第２延長壁１０２５との間に挿入され、他端の位置制限片１０１４は、第３延長壁１０２６と第４延長壁１０２７との間に挿入される。位置制限片１０１４が存在するため、第１延長壁１０２４と第２延長壁１０２５は内側に傾けて変形することができず、同じ理由で、第３延長壁１０２６と第４延長壁１０２７は内側に傾けて変形することができない。
【００５５】
第３側壁１０１２と第４側壁１０１３は、それぞれ第１延長壁１０２４と第２延長壁１０２５の係り止め溝１０２８から係り止め部材１０１５が延出し、上側ケース１０１が下側ケース１０２に装着される時、係り止め部材１０１５は、係り止め溝１０２８内に係合される。
【００５６】
第３側壁１０１２及び第４側壁１０１３は、それぞれ第３延長壁１０２６と第４延長壁１０２７の外側に向かって保持部材１０１６が延出し、第３延長壁１０２６と第４延長壁１０２７の外側は保持部材１０１６と対応的に保持係り止め台１０２９を形成し、上側ケース１０１が下側ケース１０２に装着される時、保持部材１０１６は保持係り止め台１０２９に係合設置される。
【００５７】
好ましくは、第３延長壁１０２６と第４延長壁１０２７の外側には、弾性係り止め片１０３０が設置され、弾性係り止め片１０３０は、外側に斜め下向きに延びる。保持部材１０１６には弾性係り止め片１０３０に対応する位置係り止め溝１０１７が形成され、下側ケース１０２の上部から上側ケース１０１を装入する時、弾性係り止め片１０３０は位置係り止め溝１０１７内に円滑に進入することができ、弾性係り止め片１０３０が位置係り止め溝１０１７に進入した後、外力の作用がない時、弾性係り止め片１０３０は保持部材１０１６から分離することができず、保持部材１０１６をこの位置に固定させる。
【００５８】
本発明の固定ケース１は、上側ケース１０１と下側ケース１０２との協働によって、上側ケース１０１と下側ケース１０２との接続を何の接続部材無しで安定性を確保することができ、両方の安定的な接続を実現し、固定ケース１の装着が大幅に簡単になる。なお、上側ケース１０１と下側ケース１０２とはともに一体型構造であり、加工が容易である。
【００５９】
前記実施形態は、単に本発明の好ましい実施形態であり、これにより本発明の保護範囲を限定してはならず、本発明に基づいて当業者によってなされた任意の非実質的な変化及び置換は、本発明が請求する保護範囲内に属する。
【符号の説明】
【００６０】
１  固定ケース
１１  第１摺動溝
１２  ギヤ溝
１０１  上側ケース
１０１１  端面
１０１２  第３側壁
１０１３  第４側壁
１０１４  位置制限片
１０１５  係り止め部材
１０１６  保持部材
１０１７  位置係り止め溝
１０２  下側ケース
１０２１  底面
１０２２  第１側壁
１０２３  第２側壁
１０２４  第１延長壁
１０２５  第２延長壁
１０２６  第３延長壁
１０２７  第４延長壁
１０２８  係り止め溝
１０２９  保持係り止め台
１０３０  弾性係り止め片
２  摺動ケース
２０  収納チャンバ
２１  第２摺動溝
２２  第１位置制限孔
２３  第２位置制限孔
２４  ロック溝
２５  摺動ブロックレール
２６  固定軸
３  連動機構
３１  ロック部材
３１１  ロック部
３１２  駆動部
３１３  ロッド溝
３２  第１位置制限部材
３２１  第１位置制限部
３２２  第１連動部
３３  第２位置制限部材
３３１  第２位置制限部
３３２  第２連動部
３３３  ガイド斜面
３４  連動トーションスプリング
３５  連動摺動ブロック
３５１  第１端部
３５２  第２端部
３５３  第３端部
３６  連動部材
３６１  接続軸
３６２  位置制限端
４  操作部材
４１  操作ベース
４２  操作摺動ブロック
４２１  アンロック指示部
４２２  ロック指示部
４３  ロック解除部材
４４  弾性部材
９  アンカーロッド
【図１】
2019099135.tif 000003
【図２Ａ】
2019099135.tif 000004
【図２Ｂ】
2019099135.tif 000005
【図３Ａ】
2019099135.tif 000006
【図３Ｂ】
2019099135.tif 000007
【図３Ｃ】
2019099135.tif 000008
【図４Ａ】
2019099135.tif 000009
【図４Ｂ】
2019099135.tif 000010
【図４Ｃ】
2019099135.tif 000011
【図５Ａ】
2019099135.tif 000012
【図５Ｂ】
2019099135.tif 000013
【図５Ｃ】
2019099135.tif 000014
【図６Ａ】
2019099135.tif 000015
【図６Ｂ】
2019099135.tif 000016
【図６Ｃ】
2019099135.tif 000017
【図７Ａ】
2019099135.tif 000018
【図７Ｂ】
2019099135.tif 000019
【図７Ｃ】
2019099135.tif 000020
【図７Ｄ】
2019099135.tif 000021